(57)【要約】【課題】ベーンの先端部やハウジングの内周面の損傷を抑制してシール漏れの発生を防止することができる流体機械を提供する。【解決手段】本流体機械（コンプレッサ１）は、筒状のハウジング２と、ハウジング内に回転可能に設けられたロータ３と、ロータの外周面側にロータの外周面から出没可能に設けられた複数のベーン４と、を備える。そして、ハウジングの内周面とロータの外周面との間には複数のシリンダ室Ｓが形成されており、ロータの回転によりベーンの先端部がハウジングの内周面を摺動してシリンダ室内で気体が圧縮される。さらに、ロータの軸方向の端面側には、ロータの回転軸３ａと略平行又は略同心となる軸回りに揺動可能にバランス部材２７が支持され、バランス部材には、ベーンが複数連結されている。【選択図】図１
2016102405.tif 000002
【特許請求の範囲】
【請求項１】
筒状のハウジングと、該ハウジング内に回転可能に設けられたロータと、該ロータの外周面側に該ロータの外周面から出没可能に設けられた複数のベーンと、を備え、前記ハウジングの内周面と前記ロータの外周面との間には複数のシリンダ室が形成されており、前記ロータの回転により前記ベーンの先端部が前記ハウジングの内周面を摺動する流体機械であって、
前記ロータの軸方向の端面側には、該ロータの回転軸と略平行又は略同心となる軸回りに揺動可能にバランス部材が支持され、該バランス部材には、前記ベーンが複数連結されていることを特徴とする流体機械。
【請求項２】
前記ハウジングの内周面側には、前記シリンダ室を形成する、大径部及び該大径部の両外側に連なり外側に向かって縮径する一対の縮径部が設けられ、前記一対の縮径部のそれぞれは、一方の縮径部を摺動する前記ベーンの突出量と他方の縮径部を摺動する前記ベーンの没入量とが略同じとなるような曲面状に形成されている請求項１記載の流体機械。
【請求項３】
前記バランス部材は、複数設けられるとともに、略Ｖ字状に形成され、その中心部が前記ロータの回転軸と略平行となる軸回りに揺動可能に支持されており、
前記バランス部材の両端側のそれぞれには前記ベーンが連結されている請求項１又は２に記載の流体機械。
【請求項４】
前記バランス部材は、円盤状に形成され、その中心部が前記ロータの回転軸と略同心となる軸回りに揺動可能に支持されており、
前記バランス部材には、複数の前記ベーンの全てが連結されている請求項１又は２に記載の流体機械。
【発明の詳細な説明】
【技術分野】
【０００１】
本発明は、流体機械に関し、さらに詳しくは、ベーンの先端部やハウジングの内周面の損傷を抑制してシール漏れの発生を防止することができる流体機械に関する。
【背景技術】
【０００２】
従来の流体機械として、筒状のハウジングと、このハウジング内に回転可能に設けられたロータと、このロータの外周面側にロータの外周面から出没可能に設けられた複数のベーンと、を備え、ハウジングの内周面とロータの外周面との間に複数のシリンダ室が形成されるコンプレッサが一般に知られている（例えば、特許文献１参照）。このコンプレッサでは、ロータの回転によりベーンの先端部がハウジングの内周面を摺動してシリンダ室内で気体が圧縮される。なお、上記ベーンの先端部には、通常、スプリングによりハウジングの内周面側に向かって付勢されたアスペックシールが設けられている。
【先行技術文献】
【特許文献】
【０００３】
【特許文献１】特開２００２−２５０２８９号公報
【発明の概要】
【発明が解決しようとする課題】
【０００４】
しかし、上記従来のコンプレッサでは、ベーンの先端部がハウジングの内周面を摺動するので、ロータの回転速度が上がると強力な遠心力によりベーンの先端部がハウジングの内周面を強く押圧して強大な摩擦力が発生する。そのため、ベーンの先端部やハウジングの内周面が損傷してシール漏れが生じてしまう恐れがある。また、ロータの外周側を出入りするベーンの底部においては負圧、正圧が発生する等の致命的な欠点があった。なお、上述の問題は、コンプレッサの他にポンプ等の流体機械においても略同様に生じる。
【０００５】
本発明は、上記現状に鑑みてなされたものであり、ベーンの先端部やハウジングの内周面の損傷を抑制してシール漏れの発生を防止することができる流体機械を提供することを目的とする。
【課題を解決するための手段】
【０００６】
上記問題を解決するために、請求項１に記載の発明は、筒状のハウジングと、該ハウジング内に回転可能に設けられたロータと、該ロータの外周面側に該ロータの外周面から出没可能に設けられた複数のベーンと、を備え、前記ハウジングの内周面と前記ロータの外周面との間には複数のシリンダ室が形成されており、前記ロータの回転により前記ベーンの先端部が前記ハウジングの内周面を摺動する流体機械であって、前記ロータの軸方向の端面側には、該ロータの回転軸と略平行又は略同心となる軸回りに揺動可能にバランス部材が支持され、該バランス部材には、前記ベーンが複数連結されていることを要旨とする。
請求項２に記載の発明は、請求項１記載において、前記ハウジングの内周面側には、前記シリンダ室を形成する、大径部及び該大径部の両外側に連なり外側に向かって縮径する一対の縮径部が設けられ、前記一対の縮径部のそれぞれは、一方の縮径部を摺動する前記ベーンの突出量と他方の縮径部を摺動する前記ベーンの没入量とが略同じとなるような曲面状に形成されていることを要旨とする。
請求項３に記載の発明は、請求項１又は２記載において、前記バランス部材は、複数設けられるとともに、略Ｖ字状に形成され、その中心部が前記ロータの回転軸と略平行となる軸回りに揺動可能に支持されており、前記バランス部材の両端側のそれぞれには前記ベーンが連結されていることを要旨とする。
請求項４に記載の発明は、請求項１又は２記載において、前記バランス部材は、円盤状に形成され、その中心部が前記ロータの回転軸と略同心となる軸回りに揺動可能に支持されており、前記バランス部材には、複数の前記ベーンの全てが連結されていることを要旨とする。
【発明の効果】
【０００７】
本発明の流体機械によると、ロータの軸方向の端面側には、ロータの回転軸と略平行又は略同心となる軸回りに揺動可能にバランス部材が支持され、バランス部材には、ベーンが複数連結されている。そして、ロータの回転によりベーンの先端部がハウジングの内周面を摺動するときに、バランス部材が軸回りに揺動することで複数のベーンにかかる遠心力がバランスされる。その結果、ハウジングの内周面にかかる押圧力及び摩擦力が低減され、ベーンの先端部やハウジングの内周面の損傷が抑制されてシール漏れの発生が防止される。
また、前記ハウジングの内周面側に、前記シリンダ室を形成する、大径部及び該大径部の両外側に連なり外側に向かって縮径する一対の縮径部が設けられ、前記一対の縮径部のそれぞれが、一方の縮径部を摺動する前記ベーンの突出量と他方の縮径部を摺動する前記ベーンの没入量とが略同じとなるような曲面状に形成されている場合は、バランス部材が更に円滑に揺動されて複数のベーンにかかる遠心力が更に適正にバランスされる。
また、前記バランス部材は、複数設けられるとともに、略Ｖ字状に形成され、その中心部が前記ロータの回転軸と略平行となる軸回りに揺動可能に支持されており、前記バランス部材の両端側のそれぞれには前記ベーンが連結されている場合は、複数のベーンにかかる遠心力が更に適正にバランスされる。
さらに、前記バランス部材が、円盤状に形成され、その中心部が前記ロータの回転軸と略同心となる軸回りに揺動可能に支持されており、前記バランス部材に、複数の前記ベーンの全てが連結されている場合は、複数のベーンにかかる遠心力が更に適正にバランスされる。また、部品点数を低減して簡素化を図ることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るコンプレッサの一部を破断した斜視図である。
【図２】上記コンプレッサのサイドハウジングを取り外した状態の平面図である。
【図３】上記コンプレッサの作用を説明するための説明図である。
【図４】実施例２に係るコンプレッサの一部を破断した斜視図である。
【図５】上記コンプレッサのサイドハウジングを取り外した状態の平面図である。
【図６】上記コンプレッサの作用を説明するための説明図である。
【図７】その他の形態のコンプレッサを説明するための説明図であり、（ａ）は実施例１のコンプレッサの変形例を示し、（ｂ）は実施例２のコンプレッサの変形例を示す。
【図８】上記コンプレッサの使用例を説明するための説明図である。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．流体機械
本実施形態１．に係る流体機械（１、１’、３２、３２’）は、筒状のハウジング（２）と、ハウジング内に回転可能に設けられたロータ（３）と、ロータの外周面側にロータの外周面から出没可能に設けられた複数のベーン（４）と、を備える（例えば、図１、図２、図４及び図５等参照）。そして、ハウジング（２）の内周面とロータ（３）の外周面との間には複数のシリンダ室（Ｓ）が形成されており、ロータ（３）の回転によりベーン（４）の先端部がハウジング（２）の内周面を摺動する。さらに、ロータ（３）の軸方向の端面側には、ロータの回転軸（３ａ）と略平行又は略同心となる軸回りに揺動可能にバランス部材（２７、３５）が支持され、バランス部材には、ベーンが複数連結されている。
【００１１】
本実施形態１．に係る流体機械（１、１’、３２、３２’）としては、例えば、上記ハウジング（２）の内周面側には、シリンダ室（Ｓ）を形成する、大径部（１０）及び大径部の両外側に連なり外側に向かって縮径する一対の縮径部（１１ａ、１１ｂ）が設けられ、一対の縮径部のそれぞれは、一方の縮径部（１１ａ）を摺動するベーン（４）の突出量と他方の縮径部（１１ｂ）を摺動するベーン（４）の没入量とが略同じとなるような曲面状に形成されている形態（例えば、図３及び図６等参照）を挙げることができる。
【００１２】
本実施形態１．に係る流体機械（１、１’）としては、例えば、上記バランス部材（２７）は、複数設けられるとともに、略Ｖ字状に形成され、その中心部がロータ（３）の回転軸（３ａ）と略平行となる軸（Ｃ２）回りに揺動可能に支持されており、バランス部材（２７）の両端側のそれぞれにはベーン（４）が連結されている形態（例えば、図１及び図２等参照）を挙げることができる。なお、上記「略Ｖ字状」とは、複数のベーンの遠心力をバランスさせ得る限り、Ｕ字状、Ｌ字状等を含むものとする。
【００１３】
本実施形態１．に係る流体機械（３２、３２’）としては、例えば、上記バランス部材（３５）は、円盤状に形成され、その中心部がロータ（３）の回転軸（３ａ）と略同心となる軸（Ｃ１）回りに揺動可能に支持されており、バランス部材（３５）には、複数のベーン（４）の全てが連結されている形態（例えば、図４及び図５等参照）を挙げることができる。
【００１４】
なお、上記実施形態で記載した各構成の括弧内の符号は、後述する実施例に記載の具体的構成との対応関係を示すものである。
【実施例】
【００１５】
以下、図面を用いて実施例により本発明を具体的に説明する。なお、本実施例では、本発明に係る「流体機械」としてコンプレッサを例示する。
【００１６】
＜実施例１＞
（１）コンプレッサの構成
本実施例に係るコンプレッサ１は、図１及び図２に示すように、筒状のハウジング２と、このハウジング２内に回転可能に設けられた円柱状のロータ３と、このロータ３の外周面側にロータ３の外周面から出没可能に設けられた複数（図２中で４枚）のベーン４と、を備えている。
【００１７】
上記ハウジング２の軸方向の両端側のそれぞれには、ハウジング２の内部空間を塞ぐように円盤状のサイドハウジング５が取り付けられる。これらハウジング２の内周面とロータ３の外周面とサイドハウジング５の端面との間には複数（図２中で２個）のシリンダ室Ｓが形成されている。
【００１８】
上記ハウジング２とロータ３とは軸心Ｃ１が略一致している。また、サイドハウジング５の中心部には、ロータ３に固定された回転軸３ａを回転自在に支持する軸受７（図１参照）が設けられている。この回転軸３ａを駆動モータ（図示省略）等で駆動することで、ロータ３が所定方向Ｐ（図２参照）回りに回転される。
【００１９】
上記ハウジング２の内周面側には、図２に示すように、シリンダ室Ｓを形成する、大径部１０及び一対の縮径部１１ａ、１１ｂが設けられている。この大径部１０は、ハウジング２の軸中心Ｃ１から所定半径Ｒ１の円弧面状に形成されている。これら一対の縮径部１１ａ、１１ｂのそれぞれは、大径部１０の両外側に連なり外側に向かって縮径している。また、ハウジング２の内周面側には、ロータ３の回転方向に隣り合う一対のシリンダ室Ｓにおいて互いに近接する縮径部１１ａ、１１ｂのそれぞれを繋ぐ小径部１２が設けられている。この小径部１２は、ハウジング２の軸中心Ｃ１から所定半径Ｒ２の円弧面状に形成されている。なお、上記小径部１２の所定半径Ｒ２は、大径部１０の所定半径Ｒ１より小さな値であり且つロータ３の半径Ｒ３と略一致する値とされている。
【００２０】
上記ハウジング２には、図２に示すように、複数のシリンダ室Ｓのそれぞれに対応して一対の吸気口１４及び排気口１５が設けられている。この吸気口１４（後述するポンプの場合は流入口１４）は、一端側がハウジング２の外周面側に開口し、他端側がハウジング２の内周面側で一方の縮径部１１ａに開口している。この吸気口１４を介してハウジング２の外部からシリンダ室Ｓ内に気体（後述するポンプの場合は液体）が吸気される。また、排気口１５（後述するポンプの場合は流出口１５）は、一端側がハウジング２の外周面側に開口し、他端側がハウジング２の内周面側で他方の縮径部１１ｂに開口している。この排気口１５を介してシリンダ室Ｓ内で圧縮された気体（後述するポンプの場合は圧力が高められた液体）がハウジング２の外部に排気される。さらに、上記ハウジング２の小径部１２のそれぞれには、ハウジング２の径方向に移動自在にストッパ弁１７が支持されている。これら各ストッパ弁１７は、スプリング１８によりハウジング２の求心側に向かって付勢されてロータ３の外周面に圧接している。
【００２１】
上記複数のベーン４のそれぞれは、ロータ３の外周側に形成された横溝２０内でロータ３の径方向に移動自在に支持されている。これら各ベーン４は、ロータ３の回転方向Ｐに沿って所定の角度間隔（例えば、９０度間隔）で配設されている。また、各ベーン４の先端側には、アペックシール２２がロータ３の径方向に移動自在に支持されている。このアペックシール２２は、スプリング２３によりハウジング２の内周面側に向かって付勢されている。さらに、各ベーン４の根本側には、後述するバランス部材の円弧状部が遊嵌する凹部２４が形成されている。
【００２２】
上記ロータ３の軸方向の両端面側のそれぞれには、図２に示すように、ロータ３の回転軸３ａと略平行となる軸Ｃ２回りに揺動可能に複数（図２中で２個）のバランス部材２７が支持されている。これら各バランス部材２７は、平面略Ｖ字状に形成され、その中心部が軸Ｃ２回りに揺動可能に支持されている。また、各バランス部材２７の両端側のそれぞれには、ベーン４の凹部２４に遊嵌する円弧状部２８が形成されている。そして、各バランス部材２７には、その一端側にロータ３の回転方向Ｐに隣り合う一対のベーン４のうちの一方のベーン４が連結され、その他端側に他方のベーン４が連結されている。なお、上記各バランス部材２７の揺動軸Ｃ２は、ロータ３の回転方向Ｐに隣り合う一対のベーン４の中間に配設されている。
【００２３】
ここで、上記一対の縮径部１１ａ、１１ｂのそれぞれは、図３に示すように、ロータ３の回転方向Ｐに隣り合う一対のベーン４のうちの一方のベーン４が一方の縮径部１１ａを摺動し且つ他方のベーン４が他方の縮径部１１ｂを摺動するときに、一方の縮径部１１ａを摺動するベーン４の突出量と他方の縮径部１１ｂを摺動するベーン４の没入量とが略同じとなるような曲面状に形成されている。言い替えると、一対の縮径部１１ａ、１１ｂのそれぞれは、ロータ３の回転方向Ｐに隣り合う一対のベーン４のうちの一方のベーン４が一方の縮径部１１ａを摺動し且つ他方のベーン４が他方の縮径部１１ｂを摺動するときに、シリンダ室Ｓ内において一方の縮径部１１ａを摺動するベーン４と他方の縮径部１１ｂを摺動するベーン４とで仕切られる空間容積が略一定となるような曲面状に形成されている。なお、上記一対の縮径部１１ａ、１１ｂは、ロータ３の回転軸３ａの中心Ｃ１とバランス部材２７の揺動軸Ｃ２とを結ぶ直線を対称軸として線対称となっている。
【００２４】
（２）コンプレッサの作用
次に、上記構成のコンプレッサ１の作用について説明する。図２に示すように、ロータ３を所定方向Ｐに回転させると、ベーン４のアペックシール２２がハウジング２の内周面を摺動してシリンダ室Ｓ内で気体が圧縮される。具体的には、各シリンダ室Ｓにおいて、ベーン４が一方の縮径部１１ａを摺動して大径部１０を摺動し始めると、このベーン４の背面側で吸気口１４からシリンダ室Ｓ内に気体が吸気されるとともに、このベーン４の前面側で気体が圧縮される。そして、その圧縮された気体は、排気口１５を介してシリンダ室Ｓ内からハウジング２の外部に排気される。
【００２５】
ここで、上記コンプレッサ１の稼働中には、全てのベーン４には外側に飛び出そうとする遠心力がかかるが、複数のバランス部材２７が軸回りに揺動することで、ベーン４の飛び出しが防止されるとともに、ハウジング２の内周面にかかる遠心力がバランスされる。
【００２６】
（３）実施例の効果
以上より、本実施例のコンプレッサ１によると、ロータ３の軸方向の端面側には、ロータ３の回転軸３ａと略平行となる軸Ｃ２回りに揺動可能にバランス部材２７が支持され、バランス部材２７には、ベーン４が複数連結されている。そして、ロータ３の回転によりベーン４の先端部がハウジング２の内周面を摺動するときに、バランス部材２７が軸回りに揺動することで複数のベーン４にかかる遠心力がバランスされる。その結果、ハウジング２の内周面にかかる押圧力及び摩擦力が低減され、ベーン４の先端部やハウジング２の内周面の損傷が抑制されてシール漏れの発生が防止される。
【００２７】
また、本実施例では、ハウジング２の内周面側には、シリンダ室Ｓを形成する、大径部１０及び大径部１０の両外側に連なり外側に向かって縮径する一対の縮径部１１ａ、１１ｂが設けられている。そして、一対の縮径部１１ａ、１１ｂのそれぞれは、一方の縮径部１１ａを摺動するベーン４の突出量と他方の縮径部１１ｂを摺動するベーン４の没入量とが略同じとなるような曲面状に形成されているので、バランス部材２７が更に円滑に揺動されて複数のベーン４にかかる遠心力が更に適正にバランスされる。
【００２８】
また、本実施例では、バランス部材２７は、複数設けられるとともに、略Ｖ字状に形成され、その中心部がロータ３の回転軸３ａと略平行となる軸Ｃ２回りに揺動可能に支持されており、バランス部材２７の両端側のそれぞれにはベーン４が連結されているので、複数のベーン４にかかる遠心力が更に適正にバランスされる。
【００２９】
さらに、本実施例では、バランス部材２７の両端側には円弧状部２８が設けられ、ベーン４の根本側には、円弧状部２８が遊嵌する凹部２４が設けられているので、バランス部材２７が揺動する際に円弧状部２８が凹部２４に係止することで、複数のベーン４にかかる遠心力が受け止められ更に適正にバランスされる。
【００３０】
＜実施例２＞
次に、実施例２に係るコンプレッサについて説明するが、上記実施例１に係るコンプレッサ１と略同じ構成部位には同符号を付けて詳説を省略し、両者の主な相違点であるバランス部材について詳説する。
【００３１】
（１）コンプレッサの構成
本実施例に係るコンプレッサ３１は、図４及び図５に示すように、筒状のハウジング２、円柱状のロータ３と、複数（図５中で４枚）のベーン４と、を備えている。これら各ベーン４の根本側には、ロータ３の軸方向に突出する係止ピン３３が設けられている。
【００３２】
上記ロータ３の軸方向の両端面側のそれぞれには、ロータ３の回転軸３ａと略同心となる軸Ｃ１回りに揺動可能にバランス部材３５が支持されている。このバランス部材３５は、円盤状に形成されている。また、バランス部材３５には、各ベーン４の係止ピン３３が係止する複数（図５中で４個）の長孔３６が形成されている。これら各長孔３６は、長孔３６に係止する係止ピン３３を有するベーン４の出没方向に対して所定角度（例えば、約４５度）で傾斜している。
【００３３】
なお、一対の縮径部１１ａ、１１ｂのそれぞれは、図６に示すように、ロータ３の回転方向Ｐに隣り合う一対のベーン４のうちの一方のベーン４が一方の縮径部１１ａを摺動し且つ他方のベーン４が他方の縮径部１１ｂを摺動するときに、一方のベーン４の突出量と他方のベーン４の没入量とが略同じとなるような曲面状に形成されている。
【００３４】
（２）コンプレッサの作用
次に、上記構成のコンプレッサ３１の作用について説明する。図５に示すように、ロータ３を所定方向Ｐに回転させると、ベーン４のアペックシール２２がハウジング２の内周面を摺動してシリンダ室Ｓ内で気体が圧縮される。このコンプレッサ３１の稼働中には、全てのベーン４には外側に飛び出そうとする遠心力がかかるが、バランス部材３５が軸回りに揺動することで、ベーン４の飛び出しが防止されるとともに、ハウジング２の内周面にかかる遠心力がバランスされる。
【００３５】
（３）実施例の効果
以上より、本実施例のコンプレッサ３１によると、上記実施例１のコンプレッサ１と略同様の作用・効果を奏することに加えて、バランス部材３５は、円盤状に形成され、その中心部がロータ３の回転軸３ａと略同心となる軸Ｃ１回りに揺動可能に支持されており、バランス部材３５には、複数のベーン４の全てが連結されているので、複数のベーン４にかかる遠心力が更に適正にバランスされる。また、部品点数を低減して簡素化を図ることができる。
【００３６】
さらに、本実施例では、バランス部材３５には複数の長孔３６が形成され、ベーン４には、長孔３６に係止する係止ピン３３が設けられているので、バランス部材３５が揺動する際に係止ピン３３が長孔３６に係止することで、複数のベーン４にかかる遠心力が受け止められ更に適正にバランスされる。
【００３７】
尚、本発明においては、上記実施例に限られず、目的、用途に応じて本発明の範囲内で種々変更した実施例とすることができる。すなわち、上記実施例では、４枚のベーン４を有するコンプレッサ１、３２を例示したが、これに限定されず、例えば、図７（ａ）（ｂ）に示すように、５枚以上のベーンを有するコンプレッサ１’、３２’としてもよい。
【００３８】
さらに、上記実施例におけるコンプレッサ１、３２は単一で使用されてもよいが、例えば、図８に示すように、複数のコンプレッサ１（３２）をロータ３の軸方向に連設して、下段側の排気口１５と上段側の吸気口１４とを連結管３９で連結するようにしてもよい。
【００３９】
さらに、上記実施例では、流体機械として気体を圧縮するコンプレッサ１、１’、３２、３２’を例示したが、これに限定されず、例えば、バランス部材を備える限り、液体を圧送するポンプとしたり、気体を圧送する送風機としたりしてもよい。これらポンプや送風機であっても、上記実施例のコンプレッサ１、１’、３２、３２’と略同様の作用・効果を奏する。なお、上記ポンプの場合、通常、ロータ３を所定方向Ｐに回転させると、ベーン４のアペックシール２２がハウジング２の内周面を摺動してシリンダ室Ｓ内で液体の圧力が高められる（図２参照）。具体的には、各シリンダ室Ｓにおいて、ベーン４が一方の縮径部１１ａを摺動して大径部１０を摺動し始めると、このベーン４の背面側で流入口１４からシリンダ室Ｓ内に液体が流入されるとともに、このベーン４の前面側で液体の圧力が高められる。そして、その圧力が高められた液体は、流出口１５を介してシリンダ室Ｓ内からハウジング２の外部に流出される。
【産業上の利用可能性】
【００４０】
ベーン型の流体機械に関する技術として広く利用される。
【符号の説明】
【００４１】
１，１’，３２，３２’；コンプレッサ、２；ハウジング、３；ロータ、４；ベーン、１０；大径部、１１ａ，１１ｂ；縮径部、２７，３５；バランス部材、Ｓ；シリンダ室。
【図１】
2016102405.tif 000003
【図２】
2016102405.tif 000004
【図３】
2016102405.tif 000005
【図４】
2016102405.tif 000006
【図５】
2016102405.tif 000007
【図６】
2016102405.tif 000008
【図７】
2016102405.tif 000009
【図８】
2016102405.tif 000010